(57)【要約】【課題】非接触通信用のアンテナがアルミからなるものであっても、繊維質系シートに貼着された場合に通信距離が短くなってしまうことを回避する。【解決手段】アルミからなる非接触通信用のアンテナ１３を有する管理タグ１において、アンテナ１３を挟み込むポリエチレンテレフタレートからなるベース基材１１及びコア基材３１と、ベース基材１１のアンテナ１３とは反対側に積層されて管理タグ１の最表面を構成するポリプロピレンからなる表面シート２１とを有する。【選択図】図１
2019191987.tif 000002
【特許請求の範囲】
【請求項１】
アルミからなる非接触通信用のアンテナを有するＲＦＩＤタグであって、
前記アンテナを挟み込むポリエチレンテレフタレートからなる第１及び第２のＰＥＴ層と、
前記第１のＰＥＴ層の前記アンテナとは反対側に積層されて前記ＲＦＩＤタグの最表面を構成するポリプロピレンからなる表面シートとを有するＲＦＩＤタグ。
【請求項２】
請求項１に記載のＲＦＩＤタグにおいて、
前記アンテナは、前記第１のＰＥＴ層の一方の面に形成され、
前記第２のＰＥＴ層は、表裏に粘着層が積層されている、ＲＦＩＤタグ。
【請求項３】
請求項１または請求項２に記載のＲＦＩＤタグにおいて、
前記表面シートは、前記アンテナが透視困難に着色されている、ＲＦＩＤタグ。
【請求項４】
請求項１乃至３のいずれか１項に記載のＲＦＩＤタグが貼着された帳票であって、
前記表面シートとは反対側を貼着面として前記ＲＦＩＤタグが貼着され、繊維質系シートからなる帳票。
【発明の詳細な説明】
【技術分野】
【０００１】
本発明は、ベース基材上にアンテナが形成され、非接触通信が可能なＲＦＩＤタグ及びこれが貼り付けられた帳票に関する。
【背景技術】
【０００２】
昨今、情報化社会の進展に伴って、商品等に貼付されるタグに情報を記録し、このタグを用いて商品等の管理が行われている。このようなタグを用いた商品等の管理においては、タグに対して非接触状態にて情報の書き込みや読み出しを行うことが可能なＩＣチップが搭載されたＲＦＩＤタグがその優れた利便性から急速な普及が進みつつある。
【０００３】
ＲＦＩＤタグは一般的に、ベース基材上にアンテナが形成されるとともにＩＣチップが搭載され、外部に設けられたリーダライタとＩＣチップとの間にてアンテナを介して非接触通信が行われる。このようなアンテナとしては、従来、銅箔をベース基材上に積層し、この銅箔をエッチング等によって所定の形状に加工することで構成されたものが一般的であったが、近年では、アルミからなるものが用いられている（例えば、特許文献１参照）。このようにアンテナをアルミから構成することにより、コストダウンを図ることができる。
【先行技術文献】
【特許文献】
【０００４】
【特許文献１】特開２０１６−９５６７９号公報
【発明の概要】
【発明が解決しようとする課題】
【０００５】
上述したようなＲＦＩＤタグは、上質紙等の繊維質系シートに貼着されて利用される場合が多い。その場合、繊維質系シートは、周囲の温度や湿度等の環境の変化によって伸縮しやすいため、繊維質系シートが伸縮した場合、アンテナがアルミから構成されていると、アンテナが繊維質系シートの影響を受け、ＲＦＩＤタグの通信距離が短くなってしまうという問題点がある。
【０００６】
本発明は、上述したような従来の技術が有する問題点に鑑みてなされたものであって、非接触通信用のアンテナがアルミからなるものであっても、繊維質系シートに貼着された場合に通信距離が短くなってしまうことを回避できるＲＦＩＤタグ及びこれが貼り付けられた帳票を提供することを目的とする。
【課題を解決するための手段】
【０００７】
上記目的を達成するために本発明は、
アルミからなる非接触通信用のアンテナを有するＲＦＩＤタグであって、
前記アンテナを挟み込むポリエチレンテレフタレートからなる第１及び第２のＰＥＴ層と、
前記第１のＰＥＴ層の前記アンテナとは反対側に積層されて前記ＲＦＩＤタグの最表面を構成するポリプロピレンからなる表面シートとを有する。
【０００８】
上記のように構成された本発明においては、アルミからなる非接触通信用のアンテナが、ポリエチレンテレフタレートからなる第１及び第２のＰＥＴ層に挟み込まれており、さらに、第１のＰＥＴ層のアンテナとは反対側にＲＦＩＤタグの最表面を構成するポリプロピレンからなる表面シートが積層されていることで、表面シートとは反対側を貼着面として繊維質系シートに貼着された場合、繊維質系シートが周囲の温度や湿度等の環境の変化によって伸縮したとしても、第１及び第２のＰＥＴ層、並びに表面シートがこの伸縮に追従しないため、第１及び第２のＰＥＴ層に挟み込まれたアンテナが繊維質系シートの伸縮の影響を受けなくなり、通信距離が短くなってしまうことが回避される。
【０００９】
また、アンテナが、第１のＰＥＴ層の一方の面に形成され、第２のＰＥＴ層が、表裏に粘着層が積層されていれば、ＲＦＩＤタグ単体でラベルとして使用できる。
【００１０】
また、表面シートが、アンテナを透視困難に着色されていれば、被着体に貼着された状態において、被着体に表示された情報が読み取られる際に、アンテナを読み取り対象の情報として誤って読み取ってしまうことが回避される。
【００１１】
また、上述したＲＦＩＤタグが貼着された帳票として、表面シートとは反対側を貼着面としてＲＦＩＤタグが貼着され、繊維質系シートからなるものが考えられる。
【発明の効果】
【００１２】
本発明によれば、アルミからなる非接触通信用のアンテナが、ポリエチレンテレフタレートからなる第１及び第２のＰＥＴ層に挟み込まれているとともに、第１のＰＥＴ層のアンテナとは反対側にＲＦＩＤタグの最表面を構成するポリプロピレンからなる表面シートが積層されているため、表面シートとは反対側を貼着面として繊維質系シートに貼着された場合、繊維質系シートが周囲の温度や湿度等の環境の変化によって伸縮したとしても、アンテナが繊維質系シートの伸縮の影響を受けなくなり、通信距離が短くなってしまうことを回避できる。
【００１３】
また、アンテナが、第１のＰＥＴ層の一方の面に形成され、第２のＰＥＴ層が、表裏に粘着層が積層されているものにおいては、ＲＦＩＤタグ単体でラベルとして使用できる。
【００１４】
また、表面シートが、アンテナを透視困難に着色されているものにおいては、被着体に貼着された状態において、被着体に表示された情報が読み取られる際に、アンテナを読み取り対象の情報として誤って読み取ってしまうことを回避できる。
【図面の簡単な説明】
【００１５】
【図１】本発明のＲＦＩＤタグの実施の一形態を示す図であり、（ａ）は表面図、（ｂ）は（ａ）に示したＡ−Ａ’断面図、（ｃ）は（ｂ）に示した断面図を部材ごとに分解して示した図、（ｄ）はインレイの貼着層との積層面の構成を示す図である。
【図２】図１に示した管理タグの使用方法を説明するための図であり、（ａ）は管理タグが貼着される管理用シートの表面の構成を示す図、（ｂ）は管理タグが貼着された管理用シートの裏面の構成を示す図である。
【図３】図１に示した管理タグが図２に示したように管理用シートに貼着された場合の効果を説明するための図である。
【図４】本発明のＲＦＩＤタグの他の実施の形態を示す図であり、（ａ）は表面図、（ｂ）は（ａ）に示したＡ−Ａ’断面図、（ｃ）は（ｂ）に示した断面図を部材ごとに分解して示した図、（ｄ）はインレイの貼着層との積層面の構成を示す図である。
【発明を実施するための形態】
【００１６】
以下に、本発明の実施の形態について図面を参照して説明する。
【００１７】
図１は、本発明のＲＦＩＤタグの実施の一形態を示す図であり、（ａ）は表面図、（ｂ）は（ａ）に示したＡ−Ａ’断面図、（ｃ）は（ｂ）に示した断面図を部材ごとに分解して示した図、（ｄ）はインレイ１０の貼着層３０との積層面の構成を示す図である。
【００１８】
本形態は図１に示すように、タック紙２０と、インレイ１０と、貼着層３０と、剥離紙４０とが積層されて構成されたラベル形態の管理タグ１である。
【００１９】
タック紙２０は、ＰＰ（polypropylene：ポリプロピレン）からなる表面シート２１の一方の面の全面に粘着剤が塗工されることで粘着層２１が積層されて構成されている。表面シート２１は、白色に着色されており、それにより、一方の面から他方の面が透視困難となっている。
【００２０】
インレイ１０は、ＰＥＴ（polyethyleneterephthalate：ポリエチレンテレフタレート）からなる第１のＰＥＴ層となるシート状のベース基材１１の一方の面に、アルミからなる非接触通信用のアンテナ１３が形成されるとともに、このアンテナ１３に接続され、アンテナ１３を介して非接触通信を行うＩＣチップ１２が搭載されている。このように構成されたインレイ１０は、ベース基材１１のアンテナ１３が形成されていない面が、表面シート２１の粘着層２２が積層された面に向かい合うようにしてタック紙２０に積層され、粘着層２２によってタック紙２０に貼着されている。
【００２１】
貼着層３０は、ＰＥＴからなる第２のＰＥＴ層となるシート状のコア基材３１の表裏のそれぞれに粘着剤が塗工されることで粘着層３２ａ，３２ｂが積層されて構成されている。このように構成された貼着層３０は、コア基材３１の粘着層３２ａが積層された面が、ベース基材１１のアンテナ１３が形成された面に向かい合うようにしてインレイ１０に積層され、粘着層３２ａによってインレイ１０に貼着されている。これにより、貼着層３０は、ベース基材１１に形成されたアンテナ１３を覆って積層されたものとなっている。
【００２２】
このようにインレイ１０と貼着層３０とが積層されることで、アルミからなるアンテナ１３が、ＰＥＴからなるベース基材１１と、貼着層３０を構成するＰＥＴからなるコア基材３１とによって挟み込まれたものとなっている。
【００２３】
貼着層３０の粘着層３２ｂ側には、粘着層３２ｂによって剥離紙４０が剥離可能に貼着されている。
【００２４】
以下に、上記のように構成された管理タグ１の使用方法及びその際の効果について説明する。
【００２５】
図２は、図１に示した管理タグ１の使用方法を説明するための図であり、（ａ）は管理タグ１が貼着される管理用シートの表面の構成を示す図、（ｂ）は管理タグ１が貼着された管理用シートの裏面の構成を示す図である。
【００２６】
図１に示した管理タグ１は、剥離紙４０が剥離され、表出した粘着層３２ｂによって、図２に示すように帳票となる管理用シート２の裏面に貼着されて使用される。管理用シート２は、上質紙等の繊維質系シートからなり、その表面に、可変情報となる管理情報が印字される管理情報表示領域２ａが設けられているとともに、その裏面には、管理情報表示領域２ａに管理情報が印字される際における搬送方向先端側に、管理用シート２の搬送方向に直交する方向に延びた直線状のタイミングマーク２ｂが表示されている。管理タグ１は、このタイミングマーク２ｂに沿う領域に貼着される。
【００２７】
上記のように構成されて管理タグ１が貼着された管理用シート２は、管理情報表示領域２ａに管理情報を印字するためにタイミングマーク２ｂが表示された側を先端として搬送されていく。
【００２８】
そして、タイミングマーク２ｂが認識されると、まず、外部に設けられたリーダライタによって、管理タグ１のＩＣチップ１２と非接触通信が行われ、ＩＣチップ１２に管理情報に応じたデータが書き込まれる。
【００２９】
ＩＣチップ１２に対するデータの書き込みが完了すると、管理情報表示領域２ａに管理情報が印字される。また、ＩＣチップ１２に対するデータの書き込みに失敗した場合は、管理情報表示領域２ａに不良マークが印字されることになる。
【００３０】
このような管理タグ１のＩＣチップ１２に対するデータの書き込みや管理情報表示領域２ａに対する管理情報の印字のタイミングは、タイミングマーク２ｂと管理タグ１及び管理情報表示領域２ａとの間隔、並びに管理用シート２の搬送速度に応じて設定されており、タイミングマーク２ｂが読み取られてから、設定されたタイミングによる時間が経過した後に行われることになる。
【００３１】
その際、管理タグ１が、タイミングマーク２ｂに沿う領域に貼着されていることで、管理用シート２が搬送途中において歪んだり、ずれたりした場合でも、管理タグ１のＩＣチップ１２に対するデータの書き込みのタイミングがずれにくくなる。また、管理タグ１には、アンテナ１３が内蔵されているが、アンテナ１３が表面シート２１で覆われており、表面シート２１が白色に着色されていることでアンテナ１３が透視困難となっているため、アンテナ１３をタイミングマーク２ｂとして誤って読み取ってしまうことを回避できる。なお、表面シート２１は、白色に着色されているものに限らず、一方の面から他方の面が透視困難となるように着色されていればよい。
【００３２】
図３は、図１に示した管理タグ１が図２に示したように管理用シート２に貼着された場合の効果を説明するための図である。
【００３３】
図２に示したような管理用シート２は、繊維質系シートからなるため、周囲の温度や湿度等の環境の変化によって伸縮しやすい。そのため、上述したように管理用シート２に管理タグ１が貼着された場合、ベース基材１１やコア基材３１が管理用シート２の伸縮に追従してしまう虞がある。ベース基材１１やコア基材３１が管理用シート２の伸縮に追従して伸縮した場合、ベース基材１１上に形成されたアンテナ１３がアルミからなるものであることで、アンテナ１３がその影響を受けて管理タグ１の通信距離が短くなってしまう。
【００３４】
ところが、図１に示した管理タグ１においては、上述したように、アンテナ１３を挟み込んでいるベース基材１１とコア部材３１がそれぞれＰＥＴからなり、さらに、ベース基材１１のアンテナ１３とは反対側に、ＰＰからなる表面シート２１が積層されているため、貼着層３０によって繊維質系シートからなる管理用シート２に貼着された場合に、管理用シート２が周囲の温度や湿度等の環境の変化によって図３に示すように伸縮したとしても、ＰＥＴからなるベース基材１１及びコア基材３１、並びにＰＰからなる表面シート２１がこの伸縮に追従せず、それにより、これらベース基材１１、コア基材３１及び表面シート２１に挟み込まれたアンテナ１３が管理用シート２の伸縮の影響を受けなくなり、アンテナ１３がアルミからなるものであっても、通信距離が短くなってしまうことを回避できる。
【００３５】
なお、上述したような効果は、管理タグ１を図２に示したような管理用シート２に貼着した場合に限らず、管理タグ１を繊維質系シートからなる帳票に貼着した場合に得ることができる。
【００３６】
また、本形態においては、インレイ１０のタック紙２０とは反対側の面に、コア基材３１の表裏に粘着層３２ａ，３２ｂが積層されてなる貼着層３０が積層されたものを例に挙げて説明したが、ＰＥＴからなるコア基材３１がインレイ１０に積層されていれば、コア基材３１のインレイ１０とは反対側の面には、粘着層３２ｂは積層されていなくてもよい。ただしその場合は、繊維質系シートからなる帳票に貼着する際に、粘着剤を別途用意してコ１基材３１を繊維質系シートからなる帳票に貼着する必要が生じ、本形態のように、コア基材３１の表裏に粘着層３２ａ，３２ｂが積層されていれば、管理タグ１単体でラベルとして使用できる。
【００３７】
（他の実施の形態）
図４は、本発明のＲＦＩＤタグの他の実施の形態を示す図であり、（ａ）は表面図、（ｂ）は（ａ）に示したＡ−Ａ’断面図、（ｃ）は（ｂ）に示した断面図を部材ごとに分解して示した図、（ｄ）はインレイ１１０の貼着層１３０との積層面の構成を示す図である。
【００３８】
本形態は図４に示すように、図１に示したものに対して、貼着層１３０のインレイ１１０との積層面とは反対側の面に、剥離紙４０の代わりに裏面シート１４０が積層されて構成されている点が異なる管理タグ１０１である。すなわち、本形態の管理タグ１０１は、図１に示した管理タグ１とは異なり、ラベル形態のものではない。
【００３９】
裏面シート１４０は、上質紙等の繊維質系シートからなるものであって、貼着層１３０の粘着層１３２ｂ側に粘着層１３２ｂによって貼着されている。
【００４０】
上記のように構成された管理タグ１０１においては、裏面シート１４０が、繊維質系シートからなることで周囲の温度や湿度等の環境の変化によって伸縮しやすいが、図１に示したものと同様に、アンテナ１１３を挟み込んでいるベース基材１１１とコア部材１３１がそれぞれＰＥＴからなり、さらに、ベース基材１１１のアンテナ１１３とは反対側に、ＰＰからなる表面シート１２１が積層されているため、裏面シート１４０が周囲の温度や湿度等の環境の変化によって伸縮したとしても、ＰＥＴからなるベース基材１１１及びコア基材１３１、並びにＰＰからなる表面シート１２１がこの伸縮に追従せず、それにより、これらベース基材１１１、コア基材１３１及び表面シート１２１に挟み込まれたアンテナ１１３が裏面シート１４０の伸縮の影響を受けなくなり、アンテナ１１３がアルミからなるものであっても、通信距離が短くなってしまうことを回避できる。
【符号の説明】
【００４１】
１，１０１    管理タグ
２    管理用シート
２ａ    管理情報表示領域
２ｂ    タイミングマーク
１０，１１０    インレイ
１１，１１１    ベース基材
１２，１１２    ＩＣチップ
１３，１１３    アンテナ
２０，１２０    タック紙
２１，１２１    表面シート
２２，３２ａ，３２ｂ，１２２，１３２ａ，１３２ｂ    粘着層
３０，１３０    貼着層
３１，１３１    コア基材
４０    剥離紙
１４０    裏面シート
【図１】
2019191987.tif 000003
【図２】
2019191987.tif 000004
【図３】
2019191987.tif 000005
【図４】
2019191987.tif 000006